(57)【要約】【課題】種々の大きさや形状の荷物を好適に運搬することができるリュックサックを提供する。【解決手段】平面視略長方形状の薄板状可撓性部材から形成されて、長手方向の略中央部で折曲可能なホルダー部材２と、折曲されたホルダー部材２の一半部２１と他半部２２との間に挟持可能な収容部材３と、からなり、ホルダー部材２には、一対のショルダーベルト６が取り付けられ、また、折曲されたホルダー部材２の一半部２１と他半部２２とを相対向させた状態に収容部材３とともに保持する保持手段３６，４が設けられ、収容部材３は、柔軟な素材で形成されてなる。【選択図】  図１
2005185462.tif 000002
【特許請求の範囲】
【請求項１】
平面視略長方形状の薄板状可撓性部材から形成されて、長手方向の略中央部で折曲可能なホルダー部材と、折曲されたホルダー部材の一半部と他半部との間に挟持可能な収容部材と、からなり、
ホルダー部材には、一半部に一対のショルダーベルトが取り付けられ、また、折曲されたホルダー部材の一半部と他半部とを相対向させた状態に収容部材とともに保持する保持手段が設けられ、
収容部材は、柔軟な素材で形成されたことを特徴とするリュックサック。
【請求項２】
前記収容部材は、大きさの異なる複数の袋体から選択された少なくとも一つの袋体であることを特徴とする請求項１記載のリュックサック。
【発明の詳細な説明】
【技術分野】
【０００１】
本発明は、リュックサックに関する。
【背景技術】
【０００２】
一般にリュックサックは、リュック本体の背面側（使用者の背中に接する側）に備えられたショルダーベルトに使用者が腕を通し、肩にかけて背負うことにより、使用者の両手を解放してリュック本体内に収容した荷物を持ち運ぶことができるため、広く用いられている。
【０００３】
ところで、リュック本体は、通常、使用者の背中に接する背面部の周縁に底面部、左右の側面部の一端縁が縫着され、背面部と対向する前面部が底面部から立ち上げられて構成されている。そして、背面部は、剛性を有するクッション素材で形成され、使用者の背中を保護している。このように背面部が剛性を有するため、背面部よりも幅広の荷物や、側面部よりも大きな厚みの荷物をリュック本体内に収容する場合、背面部を除く各面部が変形することにより対応している。
【０００４】
しかし、背面部が変形しないため、変形の自由度が小さく、リュック本体に収容可能な荷物の大きさや形状の許容範囲が狭い。
【０００５】
このために、収容容量を変更可能としたリュックサックが従来から提供されている（例えば、特許文献１参照。）。
【０００６】
例えば、特許文献１には、リュック本体に襠部材がファスナーを介して取り付けられ、ファスナーを閉じると、収容容量が少ない小型のリュックサックとして使用でき、ファスナーを開くと、襠部材が伸長し、その結果リュック本体が拡開されて収容容量を増し、大型のリュックサックとして使用できるものが記載されている。
【特許文献１】特開平７−２８４４１０号公報
【発明の開示】
【発明が解決しようとする課題】
【０００７】
しかしながら、上記した特許文献１のリュックサックにおいて、ファスナーを開いて、襠部材を伸長しても、襠部材の分だけ収容容量がわずかに増加するに過ぎない。また、収容容量を増加させるために、一々ファスナーを開くのは煩雑である。さらに、このリュックサックにおいても、剛性を有する背面部の周縁に底面部、側面部の一端縁が縫着されているため、変形の自由度は小さく、リュック本体に収容可能な荷物の大きさや形状の許容範囲も依然として狭い。
【０００８】
本発明は、上記従来の問題点を解決すべく創案されたもので、種々の大きさや形状の荷物を好適に運搬することができるリュックサックを提供することを目的とする。
【課題を解決するための手段】
【０００９】
上記の目的を達成するため、本発明に係るリュックサックは、平面視略長方形状の薄板状可撓性部材から形成されて、長手方向の略中央部で折曲可能なホルダー部材と、折曲されたホルダー部材の一半部と他半部との間に挟持可能な収容部材と、からなり、ホルダー部材には、一半部に一対のショルダーベルトが取り付けられ、また、折曲されたホルダー部材の一半部と他半部とを相対向させた状態に収容部材とともに保持する保持手段が設けられ、収容部材は、柔軟な素材で形成されたことを特徴とする。
【００１０】
この発明によれば、ホルダー部材の一半部と他半部とが相対向されるとともに、相対向した一半部と他半部との間に収容部材が挟まれた状態で、ホルダー部材の一半部と他半部とを収容部材とともに保持手段を介して保持することができる。そして、一方の半部に取り付けられた一対のショルダーベルトにより、収容部材を保持したリュックサックを背負って運搬することができる。この場合、荷物は、ホルダー部材とは別体の収容部材に収容され、収容部材は柔軟な素材で形成されているので、収容部材の変形の自由度が大きく、荷物の大きさや形状が変化しても対応することができる。したがって、種々の大きさや形状の荷物を収容部材に収容して運搬することができる。
【００１１】
本発明は、前記収容部材は、ホルダー部材に着脱自在に保持され、大きさの異なる複数の袋体から選択される少なくとも一つの袋体で構成されることを特徴とする。
【００１２】
この発明によれば、荷物の大きさや形状に合わせて、最適な収容部材を選択して荷物を収容し、運搬することができる。
【発明の効果】
【００１３】
本発明に係るリュックサックによれば、種々の大きさや形状の荷物を好適に運搬することができる。
【発明を実施するための最良の形態】
【００１４】
以下、本発明の実施の形態について図を参照して説明する。
【実施例１】
【００１５】
図１ないし図６には、本発明のリュックサック１の第１実施例が示されている。
【００１６】
このリュックサック１は、ホルダー部材２と、ホルダー部材２に挟持可能な収容部材３と、から構成される。
【００１７】
ホルダー部材２は、平面視略長方形状の薄板状可撓性部材からなり、任意の位置で折曲することができる。
【００１８】
ここで、ホルダー部材２を、その長手方向の略中央で折曲して二分した場合の一方を一半部２１、他方を他半部２２というものとする。また、本発明の実施の形態の説明において、ホルダー部材２の一半部２１および他半部２２の折曲部側を下方、その自由端側を上方とする。
【００１９】
ホルダー部材２の一半部２１および他半部２２には、これらの一半部２１および他半部２２を相対向させた状態を保持するように、４本の接続ベルト４が設けられている。この接続ベルト４は、先端に接続具４３が設けられたベルト本体４１と、先端に、接続具４３に対応する受け具４４が設けられるとともに、長さを調節可能なアジャスタベルト４２とから構成され、ベルト本体４１の基端が一半部２１における上方の左右の各側縁部および下方の左右の各側端部にそれぞれ縫着され、また、アジャスタベルト４２の基端が他半部２２における上方の左右の各側縁部および下方の左右の各側端部にそれぞれ縫着されている。
【００２０】
そして、各ベルト本体４１の接続具４３を、各ベルト本体４１に対応するアジャスタベルト４２の受け具４４に連結することにより、アジャスタベルト４２をベルト本体４１に接続し、接続ベルト４が形成される。
【００２１】
また、ホルダー部材２の一半部２１および他半部２２の上端には、１本のベルト５が設けられている。このベルト５も、先端に接続具５３が設けられたベルト本体５１と、先端に、接続具５３に対応する受け具５４が設けられるとともに、長さを調節可能なアジャスタベルト５２とから構成され、ベルト本体５１の基端が一半部２１の上端に縫着され、また、アジャスタベルト５２の基端が他半部２２の上端に縫着されている。
【００２２】
そして、ベルト本体５１の接続具５３を、ベルト本体５１に対応するアジャスタベルト５２の受け具５４に連結することにより、アジャスタベルト５２をベルト本体５１に接続し、ベルト５が形成される。
【００２３】
さらに、ホルダー部材２の他半部２２には、一対のショルダーベルト６が設けられている。このショルダーベルト６も、先端に接続具６３が設けられたベルト本体６１と、接続具６３を介してベルト本体６１と連結され、長さを調節可能なアジャスタベルト６２とから構成されており、ベルト本体６１の基端が他半部２２の上端に縫着され、また、アジャスタベルト６２の基端が他半部２２の下端に縫着されている。
【００２４】
なお、ホルダー部材２の他半部２２上端には、ベルト５を跨いで、把手７が取り付けられており、リュックサック１を持ち運ぶ際に掴むことができる。
【００２５】
収容部材３は、図４に示すように、上部３２に出し入れ口３３が設けられた布製の大型の巾着袋で構成されており、出し入れ口３３には紐通し部３４が設けられ、この紐通し部３４に絞り紐３５が挿通されている。
【００２６】
また、収容部材３外面には、４本の接続ベルト４に対応して、４個のベルト通し３６がそれぞれ取り付けられており、各接続ベルト４を対応する各ベルト通し３６に通すことができる。
【００２７】
ここで、接続ベルト４とベルト通し３６によって保持手段が構成されている。
【００２８】
さらに、収容部材３の出し入れ口３３の近傍にも、ベルト通し３７が取り付けられており、ベルト５をベルト通し３７に通すことができる。
【００２９】
なお、収容部材３は、十分な容量を確保して、例えば、折り畳み自転車のような大型の荷物を収容することができるように構成するのが望ましい。
【００３０】
また、収容部材３の下部３１の一部を、ホルダー部材２の下部近傍に縫着してもよい。
【００３１】
さらに、収容部材３は、柔軟な素材であれば、布製に限定されるものではなく、また、収容部材３の一部をゴムなどの弾性部材で形成したり、プリーツ加工を施して、伸縮可能としてもよい。
【００３２】
さらにまた、収容部材３は、上記した巾着袋に限定されるものではなく、例えば、大型の風呂敷きのような正方形の布の対角線方向角隅部を結束したものであってもよい。
【００３３】
次に、上記構成のリュックサック１の使用方法について説明する。
【００３４】
初期状態においては、ホルダー部材２と収容部材３とは、分離されているものとする。      
【００３５】
使用者は、まず、ホルダー部材２を床面等の上に広げておく（図６（ａ）参照）。
【００３６】
次に、収容部材３の出し入れ口３３を広げて、荷物を収容部材３内に入れ、絞り紐３５を紐通し部３４から引き出して出し入れ口３３を窄め、絞り紐３５を結束する。そして、収容部材３をホルダー部材２の一半部２１と他半部２２との間に載置する（図６（ｂ）参照）。
【００３７】
続いて、ホルダー部材２の一半部２１と他半部２２を相対向するまで折り曲げて、接続ベルト４のアジャスタベルト４２を収容部材３のベルト通し３６に通すとともに、接続具４３と受け具４４とを連結する。また、ベルト５のアジャスタベルト５２を収容部材３のベルト通し３７に通すとともに、接続具５３と受け具５４とを連結する。（図６（ｃ）参照）。この際、各アジャスタベルト４２、５２の長さを調節して、一半部２１と他半部２２とを所望の間隔にする。このため、ホルダー部材２の一半部２１と他半部２２とを相対向させた状態に、収容部材３とともにとともに保持することができる。
【００３８】
そして、使用者は、ショルダーベルト６に腕を通し、肩にかけて、リュックサック１を背負って、荷物を運ぶことができる。
【００３９】
このように、リュックサック１によれば、ホルダー部材２とは別体の収容部材３が柔軟性を有するので、種々の大きさや形状の荷物を収容部材３の出し入れ口３３から入れることができ、好適に運搬することができる。
【００４０】
例えば、折り畳み自転車のような大型の荷物を収容した場合、収容部材３がホルダー部材２から大きくはみ出すが、接続ベルト４、５によって確実に保持されているとともに、各接続ベルト４、５の長さを調節することで、ホルダー部材２の一半部２１と他半部２２間の間隔が調節されるので、好適に運搬することができる（図５参照）。一方、小型の荷物を収容した場合には、ベルト通し３６，３７に通した接続ベルト４、５の長さを調節することによって、収容部材３の広がりが規制されるとともにホルダー部材２の一半部２１と他半部２２間の間隔が調節されるので、収容部材３はホルダー部材２に安定して保持される。
【実施例２】
【００４１】
図７には、本発明のリュックサック１の第２実施例が示されている。
【００４２】
この実施例は、上記した第１実施例と収容部材３のみが異なっているものであって、異なる構成についてのみ説明し、同一構成についての説明は省略する。
【００４３】
収容部材３は、大きさの異なる２つの巾着袋で形成されており、それぞれの巾着袋に取り付けられたベルト通し３６，３７に接続ベルト４、５を挿通することで、各巾着袋をホルダー部材２に取り付けることができる。
【００４４】
なお、巾着袋の数は２つに限られるものではなく、３つ以上であってもよい。また、使用者が選択する巾着袋は１つであってもよい。例えば、大、中、小の３種類の巾着袋の中から、使用者が収容する荷物の大きさに合わせて１つの巾着袋を選択し、この巾着袋を接続ベルト４、５によりホルダー部材２に挟んで保持してもよい。この場合、使用者が選択しなかった巾着袋は、選択した巾着袋内に折り畳んで収容してもよい。
【産業上の利用可能性】
【００４５】
本発明は、種々の大きさや形状の荷物を好適に運搬するリュックサックに適用できる。
【図面の簡単な説明】
【００４６】
【図１】本発明に係るリュックサックの第１実施例を示す斜視図である。
【図２】図１に示すリュックサックを示す正面図である。
【図３】図１に示すリュックサックを示す側面図である。
【図４】本発明に係るリュックサックの収容部材を示す正面図である。
【図５】本発明に係るリュックサックの使用例を示す正面図である。
【図６】本発明に係るリュックサックの使用方法を示す模式図である。
【図７】本発明に係るリュックサックの第２実施例の使用例を示す側面図である。
【符号の説明】
【００４７】
１      リュックサック
２      ホルダー部材
２１    一半部
２２    他半部
３      収容部材
３６    ベルト通し（保持手段）
３７    ベルト通し
４      接続ベルト（保持手段）
５      ベルト
６      ショルダーベルト
【図１】
2005185462.tif 000003
【図２】
2005185462.tif 000004
【図３】
2005185462.tif 000005
【図４】
2005185462.tif 000006
【図５】
2005185462.tif 000007
【図６】
2005185462.tif 000008
【図７】
2005185462.tif 000009